(57)【特許請求の範囲】
【請求項１】
強磁性材よりなる表示板と、プラスチック又はゴムよりなるフレーム体と、磁石とを備えており、
フレーム体は、フレーム体の前面側から背面側に向けて窪まされた凹所を有しており、
表示板は、この凹所の底面に表示板の背面の少なくとも一部を接着させた状態で、この凹所に納められるようにしてあり、
磁石は、フレーム体の凹所内に形成された磁石の保持凹部に、この保持凹部の底面に一方磁極面を接しさせ、かつ、表示板の背面に他方磁極面を接しさせた状態で納められるようにしてあり、
この磁石の磁力によって強磁性材よりなる取付壁面に取り付けられるようにしてあることを特徴とするホワイトボード。
【請求項２】
保持凹部が、フレーム体の凹所の隅部にそれぞれ形成してあり、この保持凹部のそれぞれに磁石が納められていることを特徴とする請求項１記載のホワイトボード。
【請求項３】
フレーム体が可撓性を有すると共に、表示板が弾性的な湾曲変形可能に構成されていることを特徴とする請求項１又は請求項２記載のホワイトボード。
【発明の詳細な説明】
【０００１】
【発明の属する技術分野】
この発明は、簡易型のホワイトボードの改良に関する。
【従来の技術】
【０００２】
簡易型のホワイトボードとして、家庭用の冷蔵庫のドア前面部等に、ボード背面に備え付けられた磁石の吸着力により吸着させて取り付けられる構成を備えたものがある。
【０００３】
すなわち、この種のホワイトボードにあっては、前記冷蔵庫の外側表面などの強磁性材料よりなるホワイトボードの取付壁面にフェライト磁石又はネオジウム磁石等の硬質の磁石や、プラスチック磁石等を吸着させることにより、冷蔵庫などに取り付けられていた。
【０００４】
【発明が解決しようとする課題】
しかし、これらのフェライト磁石又はネオジウム磁石等を用いた場合には、磁石自体が硬質であるため前記取付壁面に傷がつきやすく、また、プラスチック磁石を用いた場合には、経時的にプラスチック磁石の成分などが前記取付壁面に付着してしまうという不都合があった。
【０００５】
そこで、この発明は、ホワイトボードを強磁性材よりなる取付壁面、例えば、冷蔵庫のドア前面部などに磁石を介して、この取付壁面の表面を傷つけたりすることなく適切に取り付けることができるようにすることを主たる目的とする。
【０００６】
【課題を解決するための手段】
前記目的を達成するために、請求項１記載の発明にあっては、ホワイトボードを、強磁性材よりなる表示板と、プラスチック又はゴムよりなるフレーム体と、磁石とを備えており、フレーム体は、フレーム体の前面側から背面側に向けて窪まされた凹所を有しており、表示板は、この凹所の底面に表示板の背面の少なくとも一部を接着させた状態で、この凹所に納められるようにしてあり、磁石は、フレーム体の凹所内に形成された磁石の保持凹部に、この保持凹部の底面に一方磁極面を接しさせ、かつ、表示板の背面に他方磁極面を接しさせた状態で納められるようにしてあり、この磁石の磁力によって強磁性材よりなる取付壁面に取り付けられる構成とした。
【０００７】
かかる構成によれば、ホワイトボードを強磁性材よりなる取付壁面、例えば、冷蔵庫のドア前面部などに磁石を介して、この取付壁面の表面を傷つけたりすることなく適切に取り付けることができる。
【０００８】
すなわち、前記磁石が保持凹部に納められることから、取付壁面と磁石との間にはフレーム体における保持凹部の底面が介在されることになり、この結果、この磁石自体を、直接冷蔵庫のドア前面部等の取付壁面に触れさせることなくこの取付壁面に対しホワイトボードを取り付けることができる。
【０００９】
また、このように凹所内の保持凹部に納められる磁石によって、前記表示板と取付壁面との間で前記フレーム体を挟みつけるようにして、この取付壁面にホワイトボードを取り付けさせることができ、これにより、フレーム体と表示板との一体性を格別の配慮をなすことなく高く確保させることができる。
【００１０】
また、請求項２記載の発明にあっては、請求項１記載のホワイトボードにおいて、さらに、保持凹部が、フレーム体の凹所の隅部にそれぞれ形成してあり、この保持凹部のそれぞれに磁石が納められている構成とした。
【００１１】
かかる構成によれば、ホワイトボードを冷蔵庫のドア前面部等の取付壁面に対し安定的に取り付けることができる。
【００１２】
また、請求項３記載の発明にあっては、請求項１又は２記載のホワイトボードにおいて、さらに、フレーム体が可撓性を有すると共に、表示板が弾性的な湾曲変形可能な構成とした。
【００１３】
かかる構成によれば、例えば、前記取付壁面が左右方向において湾曲されているような場合、典型的には、ドア前面部を湾曲させている冷蔵庫のドア前面部等の取付壁面に沿って、ホワイトボード自体を湾曲させた状態で、この取付壁面に前記磁石の吸着力によってホワイトボードを適切に取り付けることができる。
【００１４】
【発明の実施の形態】
以下、図１ないし図５に基づいて、この発明の典型的な実施の形態について説明する。
【００１５】
なお、ここで図１は、この実施の形態にかかるホワイトボードＷを、表示板１とフレーム体２とを分離させた状態で、これらの前面側から見て示しており、図２は、この実施の形態にかかるホワイトボードＷを前面側から見て示しており、図３は、この実施の形態にかかるホワイトボードＷを図２における右側から見て示しており、図４は、この実施の形態にかかるホワイトボードＷの断面図であり、図５は、この実施の形態にかかるホワイトボードＷを上方から見て示している。
【００１６】
この実施の形態にかかるホワイトボードＷは、強磁性材よりなる取付壁面Ｔ、例えば、冷蔵庫のドア前面部、金属製のキャビネットや家具等の外面部などへの取り付けに際して、この取付壁面Ｔの表面を傷つけずに保持することができるものである。
【００１７】
かかるホワイトボードＷは、マーカーなどによってメモなどを前面側に書くことができるように構成させた表示板１と、この表示板１を保持するフレーム体２とを主体として構成されている。
【００１８】
（表示板１）
まず、前記表示板１は、この実施の形態にあっては、ほぼ方形のプレート状をなすように構成されている。
【００１９】
また、この表示板１は、強磁性材より構成されている。
【００２０】
典型的には、この表示板１は薄い金属板の表面に、白色の塗料を塗布すると共に、その上にさらにニスなどをコーティングすることによって構成されており、イレーサー等により消去可能な状態でその表面にマーカーなどによって文字などが書けるようになっている。
【００２１】
また、この表示板１は、弾性的な湾曲変形が可能なように構成されている。
【００２２】
そして、この実施の形態にあっては、かかる表示板１は、前記フレーム体２の凹所２０の底面２１ａに対し、両面粘着テープＮなどによってその背面を接着させて、このフレーム体２の凹所２０内に保持されるようにしてある。
【００２３】
（フレーム体２）
この実施の形態においては前記フレーム体２は、表示板１の外郭形状に倣うようにフレーム体２の前面側から背面側に向けて窪まされた凹所２０を有している。
【００２４】
すなわち、この実施の形態にあっては、かかるフレーム体２の凹所２０の底面２１ａが表示板１の添着面部とされる。
【００２５】
また、この実施の形態にあっては、かかる凹所２０の隅部、すなわち、前記添着面部の四隅に、円盤状をなす磁石３の保持凹部２１がそれぞれ設けてある。
【００２６】
また、この実施の形態にかかるフレーム体２の凹所２０の形成部分には、複数の補強リブ２２が形成されている。
【００２７】
この複数の補強リブ２２は、この実施の形態にあっては、前記凹所２０内にあって、フレーム体２の前面側から背面側に向けて窪んだ長溝によってフレーム体２の背面側に形成されている。
【００２８】
そして、この実施の形態にあっては、リブは、上下方向に沿って形成された一対の上下補強リブ２２と、左右方向に沿って形成された一対の左右補強リブ２２とによって形成される補強リブ組を、前記凹所２０の形成部分に規則的に配列させるようにして形成されている。
【００２９】
この結果、この実施の形態にあっては、前記保持凹部２１に納められる磁石３の吸着力を減じさせることのない厚さにフレーム体２を構成させながら、このフレーム体２の保形性を安定的に確保させている。
【００３０】
また、この実施の形態にかかるフレーム体２の下部には、トレイ部２３が設けてある。
【００３１】
かかるトレイ部２３は、前記保持凹所２０の下辺部２０ａに沿うように設けられている。
【００３２】
また、かかるトレイ部２３は、フレーム体２の前面側から前方に向けて突き出すと共に、突き出し端部２３ａをさらに上方に湾曲させるように形成されている。
【００３３】
これにより、トレイ部２３の上面部２３ｂにマーカーやイレーサー等を都合良く載せ置くことができるようになっている。
【００３４】
また、この実施の形態にかかるホワイトボードＷにあっては、前記フレーム体２が可撓性を有すると共に、表示板１が弾性的な湾曲変形可能な構成としてある。
【００３５】
これにより、例えば、湾曲していることの多い冷蔵庫のドア前面部等の湾曲面に沿って、ホワイトボードＷ自体が湾曲することにより、磁石３の吸着面が取付壁面Ｔから離れることなくホワイトボードＷを取り付けることができ、吸着力の弱まりにより、ホワイトボードＷが取付壁面Ｔから滑り落ちることを防止することができる。
【００３６】
このフレーム体２に前記可撓性を持たせることは、このフレーム体２を軟性プラスチックやゴム等により構成することで確保することができる。
【００３７】
具体的には、例えば、軟質のポリエチレン（ＰＥ）等によってフレーム体２を構成することができる。
【００３８】
また、この実施の形態にあっては、前記磁石３は円盤状をなし、この磁石３を納める保持凹部２１は、この磁石３の外郭形状に倣った円形の窪みとして構成されている。
【００３９】
すなわち、この実施の形態にあっては、かかる保持凹部２１は、前記磁石３の両磁極面３０，３１間の厚さとほぼ同じ深さを持つように形成されている。
【００４０】
そして、保持凹部２１の底面２１ａが磁石３の一方磁極面３１と接し、この保持凹部２１に納められた磁石３の他方磁極面３０が表示板１と接触するように構成されている。
【００４１】
また、この保持凹部２１の底面２１ａと背中合わせの向きにあるフレーム体２の背面の一部２４が、取付壁面Ｔに接するようにしてあると共に、この保持凹部２１の底面２１ａとこの保持凹部２１の底面２１ａと背中合わせの向きにあるフレーム体２の背面の一部２４との間の肉厚が、取付壁面Ｔに対するこの保持凹部２１に納められる磁石３の吸着力を減じることのないような厚さとしてある。
【００４２】
この結果、この実施の形態にあっては、磁石３を直接取付壁面Ｔに接しさせない状態で、ホワイトボードＷを前記取付壁面Ｔに十分に添着状態で取り付けさせることができる。
【００４３】
【発明の効果】
この発明にかかるホワイトボードによれば、ホワイトボードを強磁性材料よりなる取付壁面、例えば、冷蔵庫のドア前面部などに磁石を介して、この取付壁面の表面を傷つけたりすることなく適切に取り付けることができる。
【図面の簡単な説明】
【図１】この実施の形態にかかるホワイトボードＷを構成する表示板１とフレーム体２とを分離させた状態を示した構成図
【図２】この実施の形態にかかるホワイトボードＷの正面図
【図３】この実施の形態にかかるホワイトボードＷの右側面図
【図４】図２におけるＡ−Ａ線断面図
【図５】この実施の形態にかかるホワイトボードＷを上方より見て示した構成図
【符号の説明】
Ｗ    ホワイトボード
１    表示板
２    フレーム体
３    磁石
２０  凹所
２１  保持凹部
２２  補強リブ
２３  トレイ部
３０  他方磁極面
３１  一方磁極面
【図１】
0003777127.tif 000002
【図２】
0003777127.tif 000003
【図３】
0003777127.tif 000004
【図４】
0003777127.tif 000005
【図５】
0003777127.tif 000006